(57)【特許請求の範囲】
【請求項１】
アルミニュウム空き缶潰機１に係る、アルミニウム製空き缶２の中程を挟み、軽く凹ましを加える装置は、アルミニウム製空き缶２を缶潰し台３に立てて置き、フットレバ−４のフットボ−ド５を軽く踏むことにより、フットレバ−４に接合された押え板６が挟みア−ム７ａ，７ｂの下端部７ａ２，７ｂ２に作動し、挟みア−ム７ａ，７ｂの上端７ａ１，７ｂ１がアルミニウム製空き缶２の中程を挟む、その際、フットレバ−４に接合された押え板６の下側に接合されたスプリング受板８が設けられ、そのスプリング受板８には、スプリング受けとストッパ−を兼ねた凸状９ａが設けられその反対側に位置する床台１０の部分にはスプリング受けとストッパ−を兼ねた凸状９ｂが設けられ、凸状９ａと凸状９ｂとの間にはスプリング１１が嵌合され、空き缶潰しの構成は、缶潰し台３の後方中央に支柱１２の略中央にハンドレバ−１３の一端１３ｂにおいて、回動自在に軸着し、支柱１２の上端から前方に突出した天板１４の上辺には、左右に突出したスプリング支軸１５の両端にはスプリング１６ａ，１６ｂを懸けるフック１５ａ，１５ｂを設け、その真下に支軸１７の外側に稼動軸１８が嵌合され、その稼動軸１８の中央部分には左右に突出したベアリング軸受台１９を設け、その先端にはスプリング１６ａ，１６ｂを係止するフック１９ａ，１９ｂを設け、フック１５ａ，１５ｂとフック１９ａ，１９ｂとの間にはスプリング１６ａ，１６ｂを設けることにより、その稼動軸１８は、吊り下げられている状態とされ、ベアリング軸受台１９のフック１９ａ，１９ｂと稼動軸１８との間にはベアリング軸受け２０を設け、その軸受け２０にはベアリング２１ａ，２１ｂが軸着され、ベアリング２１ａ，２１ｂの上側にハンドバ−１３の下側１３ｃ，１３ｄが係合するように設けてなり、ハンドレバ−１３を手で、押し下げるとハンドレバ−１３の下側１３ｃ，１３ｄが、ベアリング２１ａ，２１ｂの上側に接触するため、手の僅かな力により、稼動軸１８の中央部分には左右に突出したベアリング軸受台１９が押し下げられ、稼動軸１８の先端に設けられた圧縮板２１が下降してアルミニウム製空き缶２を押し潰し、押し潰されたアルミニウム製空き缶２ａの形状は丸型であることを特徴とする。
【発明の詳細な説明】
【技術分野】
【０００１】  本発明は、アルミニウム製空き缶をできる限り円形に潰すことのできる機具に関するものである。
【背景技術】
【０００２】  使用を終えたアルミニウム製空き缶は、リサイクル品として再利用されているが、その回収において嵩張るので、その嵩を少しでも小さくし回収能率を挙げるため、種々の空き缶潰しに係る発明考案がなされている。それらの装置又は器具は複雑であつたり、潰す手段方法において力を要し、数多くの缶潰し機具において不具合を有し、それらの機器は、その殆んど普及することなく埋もれている状況である。【０００３】  従来のアルミニウム製空き缶潰し機に係る発明、考案の技術としては、次のようなものがある。
【特許文献１】実用新案登録第２５７４６３４号「空缶潰し具」
【特許文献１】実公昭６０−３７１９７「空かん潰し具」
【特許文献１】特開平０８−１５５６９１「簡易空缶圧潰器」
【特許文献１】特開２０００−１０７８９８「空き缶の手動圧潰機」
【特許文献１】特開２００１−１９８６９９「アルミニウム製空き缶潰し器及び空き缶潰し方法」
【０００４】  このうち特開２０００−１０７８９８「空き缶の手動圧潰機」は、押圧レバ−の１回の押圧動作より空き缶を扁平状に折りたたむことを目的とし、基台１の一端に押圧レバ−２を上下動自在に枢着し、缶軸を基台の巾方向に載置した空き缶の縦方向中央部を押圧する突出部と、該突出部の基部より両側斜下方に向いた両側押圧部を押圧レバ−下面に固定した空き缶の手動圧潰機である。【０００５】  また、特開２００１−１９８６９９「アルミニウム製空き缶潰し器及び空き缶潰し方法」は、押し潰し処理対象缶を飲料用アルミニウム製空き缶とし、アルミニウム製空き缶の胴部を、ほぼ水平に前後か左右のどちらか一方からか、又は前後と左右の２方向から交互に挟み潰し、挟み潰したアルミニウム製空き缶（Ｂ）又は（Ｃ）を底板１１を有する筒１の中に軸方向に入れて、軸方向に駆動する押圧板１５で軸方向から折り畳み押し潰す事を特徴とするアルミニウム製空き缶潰し器並びに空き缶潰し方法である。【０００６】  しかし、特開２０００−１０７８９８「空き缶の手動圧潰機」および特開２００１−１９８６９９「アルミニウム製空き缶潰し器及び空き缶潰し方法」の機器においても潰された空き缶の嵩は、さほど小さくならず、装着と取り出しに手間がかかり効率的でなく更に後者の発明のものは、手の握る力により空き缶を潰すので、握力を必要とし、若い男性であれば楽に空き缶を潰すことができるとしても、年寄り女性には不向きである等の問題点を有している。
【発明の開示】
【発明が解決しようとする課題】
【０００７】  解決しようとする問題点は、空き缶を缶潰し台に置き、フットレバ−を踏むと挟みレバ−が作動し空き缶の中央部分が僅かに凹み、それを確認した後、梃子の応用による最小の力で、手動レバ−を下方に押し下げると、駆動フレ−ムの先端に設けられた押圧板が押し下げられ、空き缶は円形に近い形で押し潰されて、その嵩を小さくしたことお特徴とするアルミニュウム空き缶潰機である。
【課題を解決するための手段】
【０００８】  本発明は、アルミニュウム空き缶潰機に係る、アルミニウム製空き缶の中程を挟み、軽く凹ましを加える装置が、アルミニウム製空き缶を缶潰し台に立てて置き、フットレバ−のフットボ−ドを軽く踏むことにより、フットレバ−に接合された押え板が挟みア−ムの下端部に作動し、挟みア−ムの上端がアルミニウム製空き缶の中程を挟むが、その際、フットレバ−に接合された押え板の下側に接合されたスプリング受板が設けられ、そのスプリング受板には、スプリング受けとストッパ−を兼ねた凸状が設けられ、その反対側に位置する床台の部分にはスプリング受けとストッパ−を兼ねた凸状が設けられ、凸状と凸状との間にはスプリングが嵌合され、空き缶潰しの構成は、缶潰し台の後方中央に支柱の略中央にハンドレバ−の一端において、回動自在に軸着し、支柱の上端から前方に突出した天板の上辺には、左右に突出したスプリング支軸の両端にはスプリングを懸けるフックを設け、その真下に支軸の外側に稼動軸が嵌合され、その稼動軸の中央部分には左右に突出したベアリング軸受台を設け、その先端にはスプリングを係止するフックを設け、フックとフックとの間にはスプリングを設けることにより、その稼動軸は、吊り下げられている状態である。【０００９】  そして、ベアリング軸受台のフックと稼動軸との間にはベアリング軸受けを設け、その軸受けにはベアリングが軸着され、ベアリングの上側にハンドレバ−の下側が係合するように設けてなり、ハンドレバ−を手で、押し下げるとの下側が、ベアリングの上側に接触するため、ハンドレバ−は梃子の応用により、手の僅かな力で、稼動軸の中央部分に左右に突出したベアリング軸受台が押し下げられ、稼動軸の先端に設けられた圧縮板が下降してアルミニウム製空き缶を押し潰し、その押し潰されたアルミニウム製空き缶の形状は丸型扁平であることを特徴とする。
【発明の効果】
【００１０】    本発明のアルミニウム製空き缶円形潰機のハンドレバ−は、梃子の応用により、手の僅かな力で、稼動軸の中央部分に左右に突出したベアリング軸受台を押し下げ、稼動軸の先端に設けられた圧縮板が下降してアルミニウム製空き缶を押し潰すことが簡単にできるので、手の力の少ない年寄りや女子、子供でも簡単にアルミニウム製空き缶を丸型扁平に押し潰すことができるものである。【００１１】  本発明のアルミニウム製空き缶円形潰機により潰された空き缶は、丸い煎餅のように押し潰され、空き缶の嵩は従来のものと比較し最小となり、潰し缶の運搬には効果を上げるという利点がある。
【発明の実施するための最良の形態】
本発明に係るアルミニウム製空き缶円形潰機は、アルミニウム製空き缶を缶潰し台に立てて置き、フットレバ−を軽く踏むことにより、挟みア−ムの作動し、缶の中程を挟み、軽く細さを加えてから、ハンドレバ−を押し下げることにより、圧縮フレ−ムが垂直に下がり缶を圧縮するため円形に近い形で押し潰すことを実現した。
【実施例】
【００１２】  図１は、アルミニウム製空き缶円形潰機の実施例を示した説明斜視図であって、図２は、図１と同様で缶潰し台の正面蓋を取り外した正面説明図であり、図３は、図１及び図２と同様で缶潰し台に缶を置き、フットレバ−を軽く踏んだ状態において、右側面蓋を取り外した右側面説明図である。【００１３】  そして、図７は、図１乃至図３と同様で、ハンドレバ−１３を押し下げて缶を潰した状態を示した缶台の右側面蓋を取り外した右側面説明図であり、図８は、アルミニウム製空き缶２ａを潰した状態を示した側面図である。【００１４】  以下図面に基づき、本発明に係るアルミニウム製空き缶円形潰機１の実施例について説明する。本発明に係るアルミニウム製空き缶円形潰機１は、アルミニウム製空き缶２を缶潰し台３に立てて置き、フットレバ−４のフットボ−ド５を軽く踏むことにより、フットレバ−４に接合された押え板６が挟みア−ム７ａ，７ｂの下端部７ａ２，７ｂ２に作動し、挟みア−ム７ａ，７ｂの上端７ａ１，７ｂ１がアルミニウム製空き缶２の中程を挟み、軽く凹ましを加える。【００１５】  その際、フットレバ−４に接合された押え板６の下側に接合されたスプリング受板８が設けられている。そして、そのスプリング受板８には、スプリング受けとストッパ−を兼ねた凸状９ａが設けられその反対側に位置する床台１０の部分にはスプリング受けとストッパ−を兼ねた凸状９ｂが設けられ、凸状９ａと凸状９ｂとの間にはスプリング１１が嵌合されている。【００１６】  フットレバ−４は、スプリング１１の働きにより常に缶潰し台３の裏面に押し上げられており、フットレバ−４のフットボ−ド５を軽く踏むことにより、スプリング１１が圧縮されると同時に凸状９ａと凸状９ｂとは凸状９ａ１と凸状９ｂ１において接触し、フットレバ−４の下がり過ぎによるアルミニウム製空き缶２の挟み過ぎと凹み過ぎを防止しているものである。
そして、フットレバ−４のフットボ−ド５の足を離すと、圧縮されていたスプリング１１が延び、フットレバ−４は、自動的に元の位置に戻るものである。【００１７】  次に、空き缶潰しの機構について説明すると、缶潰し台３の後方中央に支柱１２の略中央にハンドレバ−１３の一端１３ｂにおいて回動自在に軸着してなり、その支柱１２の上端から前方に突出した天板１４の上辺には、左右に突出したスプリング支軸１５の両端にはスプリング１６ａ、１６ｂを懸けるフック１５ａ，１５ｂを設け、その真下に支軸１７の外側に稼動軸１８が嵌合され、その稼動軸１８の中央部分には左右に突出したベアリング軸受台１９を設けたその先端には、スプリング１６ａ，１６ｂを係止するフック１９ａ，１９ｂを設け、フック１５ａ，１５ｂとフック１９ａ，１９ｂとの間にはスプリング１６ａ，１６ｂを設けることにより、その稼動軸１８は、吊り下げられている状態となる。【００１８】  ベアリング軸受台１９のフック１９ａ，１９ｂと稼動軸１８との間にはベアリング軸受け２０を設け、その軸受け２０にはベアリング２１ａ，２１ｂが軸着され、ベアリング２１ａ，２１ｂの上側にハンドバ−１３の下側１３ｃ，１３ｄが係合するように設けてなるものである。【００１９】  そして、アルミニウム製空き缶２の凹みを確認した後、ハンドレバ−１３を手で、押し下げるとハンドレバ−１３の下側１３ｃ，１３ｄが、ベアリング軸受台１９に設けられたベアリング２１ａ，２１ｂの上側に転がるように接触するため、手の僅かな力により、容易に稼動軸１８の中央部分には左右に突出したベアリング軸受台１９が押し下げられ、稼動軸１８の先端に設けられた圧縮板２１が下降してアルミニウム製空き缶２を押し潰し、その押し潰されたアルミニウム製空き缶２ａの形状は丸型のお煎餅であることを特徴とするものであります。【００２０】  アルミニウム製空き缶２を圧縮した後、ハンドレバ−１３から手を離すと自動的にスプリング１６ａ，１６ｂの収縮により稼動軸１８及び圧縮板２１が引き上げられもとの位置に戻りその作業は終了するものであります。
【図面の簡単な説明】
【００２１】
【図１】  アルミニウム製空き缶円形潰機の実施例を示した説明斜視図である。
【図２】  アルミニウム製空き缶円形潰機の実施例を示した缶潰し台の正面蓋を取り外した正面説明図である。
【図３】  アルミニウム製空き缶円形潰機の実施方法を示した缶潰し台の右側面蓋を取り外した右側面説明図である。
【図４】  缶潰し台部分の正面蓋を取り外し鋏ア−ムの作動状態を仮想線で示した正面説明図である。
【図５】  缶潰し台部分の上部蓋を取り外し鋏ア−ム及びフットア−ムの状態を示した平面説明図である。
【図６】  缶潰し台部分の側面蓋を取り外し鋏ア−ム及びフットア−ムの状態を示した側面図で、仮想線はフットア−ムの作動状態を示した側面説明図である。
【図７】  アルミニウム製空き缶円形潰機のハンドレバ−を押し下げて缶を潰した状態を示した缶台の右側面蓋を取り外した右側面説明図である。
【図８】  アルミニウム製空き缶を潰した状態を示した側面図である。
【図９】  従来技術に係る特開２０００−１０７８９８「空き缶の手動圧潰機」の説明図である。
【図１０】  従来技術に係る特開２００１−１９８６９９「アルミニウム製空き缶潰し器及び空き缶潰し方法」の説明図である。
【符号の説明】
【００２２】１    アルミニウム製空き缶円形潰機
２    アルミニウム製空き缶
３    缶潰し台
４    フットレバ−
５    フットボ−ド
６    押え板
７ａ，７ｂ    挟みア−ム
７ａ１，７ｂ１    挟みア−ム上端
７ａ２，７ｂ２    挟みア−ム下端
８    スプリング受板
９ａ，９ｂ    凸状
１０    床台
１１    スプリング
１２    支柱
１３    ハンドレバ−
１３ａ，１３ｂ    ハンドレバ−の下側
１４    天井版
１５    スプリング支軸
１５ａ，１５ｂ    スプリングフック
１６ａ，１６ｂ    スプリング
１７    支軸
１８    稼動軸
１９    ベアリング軸受台
１９ａ，１９ｂ    スプリングフック
２０    ベアリング軸受
２１ａ，２１ｂ    ベアリング
【図１】
0004831451.tif 000002
【図２】
0004831451.tif 000003
【図３】
0004831451.tif 000004
【図４】
0004831451.tif 000005
【図５】
0004831451.tif 000006
【図６】
0004831451.tif 000007
【図７】
0004831451.tif 000008
【図８】
0004831451.tif 000009
【図９】
0004831451.tif 000010
【図１０】
0004831451.tif 000011